(57)【要約】【課題】入力装置への水の浸入を検出し、水が回路基板に達する前に電子機器の電源を落として電子機器の損傷や損傷によるデータ損失を防止することを目的とする。【解決手段】上層配線シート２１、下層配線シート２２及びこれらの間に挿入されるスペーサ２３を備えるメンブレン式の入力装置２０を備える電子機器１において、入力装置２０のキーの無い空き領域に上層配線シート２１とスペーサ２３を貫通する浸水検出孔２５，３５を複数箇所に設け、その中に水滴で短絡する接点４１，４２を設置し、接点４１，４２の短絡を電子機器１の制御装置１０が検出した時に、制御装置１０が電源を遮断することにより、電子機器１の機器破損とデータ損失を防止する。【選択図】図１１
2016170520.tif 000002
【特許請求の範囲】
【請求項１】
入力装置であって、
先端部に接点を備える複数の配線パターンが形成された第１のシートと、
先端部に接点を備える複数の配線パターンが形成され、前記第１のシートに重ね合された状態で、前記接点同士が対向する第２のシートと、
前記第１と第２のシートの間に重ね合わせて挿入され、挿入状態で前記接点位置に前記接点よりも大きな貫通孔を備えるシート状のスペーサと、
前記第１のシートの前記接点位置の外側に取り付けられ、外部からの押圧によって変形して前記第１のシートの接点を押して前記貫通孔内を移動させ、前記第２のシートの接点に接触させる押圧部材と、
前記第１のシートの、前記接点のない領域に設けられた第１の浸水検知孔と、
前記スペーサに設けられ、前記第１の浸水検知孔に重なる第２の浸水検知孔と、
前記第１と第２の浸水検知孔の内部に離間した状態で設けられた第１と第２の浸水検知接点と、
前記第１と第２の浸水検知接点にそれぞれ接続し、前記第１と第２の浸水検知接点の短絡状態を前記第１と第２のシートの外部に通知可能な短絡通知用の配線パターンとを備える入力装置。
【請求項２】
前記第１の浸水検知接点と前記第１の浸水検知接点に接続する短絡通知用の配線パターンが、第１のシートに設けられている請求項１に記載の入力装置。
【請求項３】
前記第１と第２の浸水検知接点とこれらに接続する前記短絡通知用の配線パターンが、共に第２のシートに設けられている請求項１に記載の入力装置。
【請求項４】
第１と第２の浸水検知接点が櫛歯形状であり、第１の浸水検知接点の櫛歯の間のスペースに、第２の浸水検知接点の櫛歯がそれぞれ配置されている請求項２又は３に記載の入力装置。
【請求項５】
前記第１のシートにある配線パターンには行アドレス信号が流され、前記第２のシートにある配線パターンには列アドレス信号が流され、
前記行アドレス信号と前記列アドレス信号によって形成されるマトリクスの数よりも前記押圧部材の数が少ない場合に、
前記短絡通知用の配線パターンは、余っている前記マトリクスの一部を利用して形成され、
前記第１と第２の浸水検知接点の短絡状態は前記行アドレス信号と前記列アドレス信号を利用して検出される請求項１から４の何れか１項に記載の入力装置。
【請求項６】
請求項１から５の何れか１項に記載の入力装置、制御装置、及び前記制御装置に電源を供給するシステム電源を備える電子機器であって、
前記浸水検知接点に接続する短絡通知用の配線パターンが前記電子機器の制御装置に接続されており、
前記制御装置は、前記配線パターンによって前記浸水検知接点の短絡状態を検知した時に、前記システム電源をシャットダウンする電子機器。
【発明の詳細な説明】
【技術分野】
【０００１】
本出願は入力装置及び該入力装置を備える電子機器に関する。
【背景技術】
【０００２】
従来、パーソナルコンピュータ（以後パソコンと言う）やタブレット等の電子装置にデータを入力する入力装置としてキーボードがある。入力装置の内、キースイッチを指で押して入力を行う構造のパソコン用のキーボードでは、キーボード面から水が浸入する虞があった。キーボード面からの浸水に対して、防水キーボードも存在し、このような防水キーボードでは、バスタブ構造や排水構造や吸水材料の配置を採用することによって、物理的にキーボードより下（基板部分）に水が達しないようにしていた。排水構造を持つ防水型キーボードは、例えば特許文献１に開示があり、吸水材料を配置した情報機器の防水機構は、例えば特許文献２に開示がある。
【０００３】
しかし、パソコンの薄型・軽量化が進むにつれて、このような防水構造をとるスペースがなくなり、薄型軽量のノートパソコン等での防水対応が困難となった。一方、比較技術として、上記のような防水構造をとらなくても、キーボードの底面に防水シートを貼り巡らせ、キーボードと筐体の隙間も止水テープを貼る手法も提案されている。
【先行技術文献】
【特許文献】
【０００４】
【特許文献１】実用新案登録第３０２３４４９６号公報
【０００５】
【特許文献２】特開２００１−２２８９５０号公報
【発明の概要】
【発明が解決しようとする課題】
【０００６】
ところが、比較技術におけるキーボードの底面に防水シートを貼り巡らせ、キーボードと筐体の隙間も止水テープを貼る手法は、量産組み立て工数が増大し、貼り付け時の隙間の可能性、保守性が悪いという課題がある。また、前述したキーボードの防水構造では、ユーザーはキーボードが浸水した場合に、即座に手動作業でパソコンの電源を落とし、浸水によるパソコンの制御装置の損傷を防ぐ必要があった。
【０００７】
１つの側面では、本出願は、電子機器の入力装置に水が浸入した場合に、水が回路基板に達する前に浸水を検出し、電子機器の制御システムを自動的にシャットダウンすることにより、電子機器の損傷や損傷によるデータ損失を防止できる入力装置、及び入力装置を備える電子機器を提供することを目的とする。
【課題を解決するための手段】
【０００８】
１つの形態によれば、入力装置であって、先端部に接点を備える複数の配線パターンが形成された第１のシートと、先端部に接点を備える複数の配線パターンが形成され、第１のシートに重ね合された状態で接点同士が対向する第２のシートと、第１と第２のシートの間に重ね合わせて挿入され、挿入状態で接点位置に接点よりも大きな貫通孔を備えるシート状のスペーサと、第１のシートの接点位置の外側に取り付けられ、外部からの押圧によって変形して第１のシートの接点を押して貫通孔内を移動させ、第２のシートの接点に接触させる押圧部材と、第１のシートの、接点のない領域に設けられた第１の浸水検知孔と、スペーサに設けられ、第１の浸水検知孔に重なる第２の浸水検知孔と、第１と第２の浸水検知孔の内部に離間した状態で設けられた第１と第２の浸水検知接点と、第１と第２の浸水検知接点にそれぞれ接続し、第１と第２の浸水検知接点の短絡状態を第１と第２のシートの外部に通知可能な配線パターンとを備える入力装置が提供される。
【０００９】
他の形態によれば、先端部に接点を備える複数の配線パターンが形成された第１のシートと、先端部に接点を備える複数の配線パターンが形成され、第１のシートに重ね合された状態で接点同士が対向する第２のシートと、第１と第２のシートの間に重ね合わせて挿入され、挿入状態で接点位置に接点よりも大きな貫通孔を備えるシート状のスペーサと、第１のシートの接点位置の外側に取り付けられ、外部からの押圧によって変形して第１のシートの接点を押して貫通孔内を移動させ、第２のシートの接点に接触させる押圧部材と、第１のシートの、接点のない領域に設けられた第１の浸水検知孔と、スペーサに設けられ、第１の浸水検知孔に重なる第２の浸水検知孔と、第１と第２の浸水検知孔の内部に離間した状態で設けられた第１と第２の浸水検知接点と、第１と第２の浸水検知接点にそれぞれ接続し、第１と第２の浸水検知接点の短絡状態を第１と第２のシートの外部に通知可能な配線パターンとを備える入力装置、制御装置、及び制御装置に電源を供給するシステム電源を備える電子機器であって、浸水検知接点に接続する短絡通知用配線パターンが電子機器の制御装置に接続されており、制御装置は、配線パターンによって浸水検知接点の短絡状態を検知した時に、システム電源をシャットダウンする電子機器が提供される。
【発明の効果】
【００１０】
開示の入力装置及は、入力装置が浸水したことを直ちに検知できるという効果がある。また、開示の入力装置を備える電子機器は、入力装置が浸水を検知すると直ちにシステム電源をシャットダウンして浸水による制御部の損傷やデータの損失を防止することができるという効果がある。
【図面の簡単な説明】
【００１１】
【図１】（ａ）は入力装置としてキーボードを備えた電子機器の一例であるノート型パソコンの斜視図、（ｂ）は（ａ）に示したキーボードがメンブレン式である場合にキートップの下に配置される配線パターンを備えた２枚のフィルムシートの一例の平面図である。
【図２】図１（ａ）に示したパソコンの内部の回路構成を示すブロック図である。
【図３】（ａ）はメンブレン式キーボードの１つのキーの断面構造及びキー接点のマイコンとの接続を示す説明図、（ｂ）は（ａ）に示したキーが押下されてキー接点が接続された状態を示す説明図である。
【図４】図３（ａ）に示したキーが２つ並んだ部分の断面と各キー接点のマイコンとの接続を示す説明図である。
【図５】（ａ）はメンブレン式のキーボードにおけるフィルムシートの一例の展開図、（ｂ）は（ａ）に示したフィルムシートを折り畳んでその間にスペーサを挿入する工程を示す斜視図である。
【図６】図４に示したキーボードのフィルムシートの上に水滴が落下した状態を示す断面図である。
【図７】（ａ）は図４に示したキーボードに本出願の第１の実施例の浸水検知装置が設置された状態を示す断面図、（ｂ）は（ａ）に示した浸水検知装置によって浸水が検知された状態を示す断面図である。
【図８】端子と配線パターンが形成されたフィルムシートを中央部で折り畳み、間にスペーサを挿入して第１の実施例の浸水検知装置を有するメンブレン式のキーボードを形成する工程を示す説明図である。
【図９】第１の実施例の浸水検知装置が設置されたキーボードにおける浸水が検知されない状態を示す断面図である。
【図１０】接点と配線パターンが形成されたフィルムシートを中央部で折り畳み、間にスペーサを挿入して第２の実施例の浸水検知装置を有するメンブレン式のキーボードを形成する工程を示す説明図である。
【図１１】第２の実施例の浸水検知装置が設置されたキーボードにおいて浸水が検知された状態を示す断面図である。
【図１２】第１及び第２の実施例の浸水検知装置における浸水検知電極のバターンの別の実施例を示す部分平面図である。
【図１３】（ａ）は第１又は第２の実施例の浸水検知装置をメンブレン式のキーボードに設置する場合の配置レイアウトの第１の実施例を示す平面図、（ｂ）は（ａ）に示したキーボードの側面図、（ｃ）は第１又は第２の実施例の浸水検知装置をメンブレン式のキーボードに設置する場合の配置レイアウトの第２の実施例を示す平面図、（ｄ）は（ｃ）に示したキーボードの側面図である。
【図１４】本出願の浸水検知装置を備えるパーソナルコンピュータの内部の回路構成を示すブロック図である。
【発明を実施するための形態】
【００１２】
以下、添付図面を用いて本出願の実施の形態を、具体的な実施例に基づいて詳細に説明するが、その前に、本出願の入力装置を備える電子機器の一例を、ノート型パソコンを例とって説明する。なお、ここでは、入力装置をノート型パソコンのキーボードを例にとって説明するが、入力装置はキーボードに限定されるものではなく、電子機器もノート型パソコンに限定されない。
【００１３】
図１（ａ）は入力装置としてキーボード１Ｋを備えた電子機器であるノート型パソコン１を示している。ノート型パソコン１には、表面部１Ｆにキーボード１Ｋが設けられた本体部１Ｈと、本体部１Ｈに対して開閉できるディスプレイ部１Ｄがある。ディスプレイ部１Ｄには表示器１Ｌがあり、画像や文字を表示する。キーボード１Ｋには複数の入力キーがあり、このキーの押下により、情報がノート型パソコン１に入力される。
【００１４】
キーボード１Ｋがメンブレン式の場合、キーボード１Ｋの直下には入力キーの数に応じた一対の接点を備えるフィルムシートが取り付けられている。図１（ｂ）はフィルムシート２の一例を示すものであり、２枚のフィルムシート２は後述するスペーサを介して重ね合わされる。フィルムシート２には入力キーの数に応じた接点２Ｔと、接点２Ｔをフィルムシート２の外部にあるマイクロコンピュータ（以後単にマイコンと言う）に導くパターン８がそれぞれ形成されている。２枚のフィルムシート２は接点２Ｔの位置を合せて重ね合わされ、接点に重なる位置のスペーサには孔が開いている。
【００１５】
２枚のフィルムシート２はメンブレンと呼ばれる２層の配線層である。フィルムシート２は以後、メンブレン２とも記す。メンブレン２の直上に置かれた入力キーが押下されると、上側の接点２Ｔと下側の接点２Ｔがショートし、これをマイコンが検知してどの入力キーが押下されたかを判断する。この例のメンブレン２には、上側のメンブレン２に８信号（ＲＯＷ＃３信号）分の配線パターンがあり、下側のメンブレン２に１６信号（ＣＬＭ＃信号）分の配線パターンがあるが、この数はキーボードにより差がある。マトリクスとしては８×１６＝１２８キーを上限に持てるが、実際のキーボードのキーは１００キー程度のため、マトリクスの一部は余っている。
【００１６】
図２は図１（ａ）に示したノート型パソコン１の内部の回路構成の一例を示すものである。ノート型パソコン１の内部には、キーボード１Ｋが接続されたマイコン１０があり、マイコン１０にはチップセット１１、ファン１２及びバッテリ１３が接続されている。バッテリ１３は一般に充電池であり、交流電源に接続するＡＣアダプタ１４で直流に変換された電力がシステム電源１５を介して充電される。チップセット１１には、メモリ１７が接続されたＣＰＵ１６，ディスプレイ部（図には表示部と記載）１Ｄ、ハードディスク等の記憶部１８及びＢＩＯＳ１９が接続されている。ＢＩＯＳ１９は回路基板（マザーボード）上のＲＯＭに搭載されているプログラムであり、キーボード１Ｋ，ＣＰＵ１６や記憶部１８等の管理や制御を行う。
【００１７】
キーボード１Ｋから入力された信号はマイコン１０からチップセット１１を経由してＢＩＯＳ１９に通知される。ＢＩＯＳ１９は、通知された信号をＢＩＯＳ１９が持つキーボードのマトリクスと照らし合わせ、どのキーが入力されたかを認識する。ＢＩＯＳ１９がＯＳ（オペレーティング・システム）に対して、押されたキーのキーコードを通知することにより、表示部１Ｄに表示されたアプリケーション上にユーザーが入力した文字が表示される。
【００１８】
ここで、一般的な入力装置であるメンブレン式キーボードの構造を図３から図６を用いて説明する。図３（ａ）はメンブレン式キーボードを備える入力装置２０における１つのキー部５の断面構造と、キー部５のマイコン１０との接続を示している。キー部５にはメンブレン２の上にキートップ３とキートップ３をメンブレン２の上に保持し、キートップ３の押下時に変形するラバードーム４がある。本来、キートップ３の下にはシザーと呼ばれるパンタグラフの構造が存在するが、図を見やすくするため、ここでは図示を省略してある。
【００１９】
メンブレン２には上層側メンブレン２１と下層側メンブレン２２があり、上層側メンブレン２１と下層側メンブレン２２はスペーサ２３を挟んで貼り合されている。ラバードーム４の直下に位置するスペーサ２３には貫通孔３３が設けられている。貼り合されたメンブレン２はサポートパネルと呼ばれる板金２４の上に取り付けられる。そして、上層側メンブレン２１の下面には貫通孔３３内に露出する上層側接点３１があり、下層側メンブレン２２の上面には貫通孔３３内に露出する下層側接点３２がある。
【００２０】
上層側接点３１は配線パターン６１で上層側メンブレン２１の外部に引き出され、マイコン１０に接続される。配線パターン６１にはマイコン１０からＲＯＷ＃信号が流れる。下層側接点３２は配線パターン６２で下層側メンブレン２２の外部に引き出され、マイコン１０に接続される。配線パターン６２にはマイコン１０からＣＬＭ＃信号が流れる。キートップ３が押下されていない状態では、上層側接点３１と下層側接点３２は接触していない。
【００２１】
しかし、図３（ｂ）に示すようにキートップ３が押下されると、ラバードーム４が押し潰され、ラバードーム４の下側の突起部がＲＯＷ＃が配線された上層側メンブレン２１を押し潰し、ＲＯＷ＃１信号とＣＬＭ＃１信号をショートさせる。マイコン１０はこのショートを検知することで、キーの入力を検知する。一般的なキーボードは、図３（ａ）に示した構造がキーの数だけ存在する。そして、何れのキーが押下されたかを識別するために、各キーの押下によってショートされるＲＯＷ＃信号とＣＬＭ＃信号の組み合せは全て異なる。
【００２２】
図４は図３（ａ）に示したキーが２つ並んだ部分の断面と各キー接点のマイコン１０との接続を示すものであり、入力装置２０の一部分を示している。左側のキーは、キートップ３が押下された時にＲＯＷ＃１信号とＣＬＭ＃１信号がショートする。一方、右側のキーはキートップ３が押下された時にＲＯＷ＃２信号とＣＬＭ＃２信号がショートする。
【００２３】
図５（ａ）はメンブレン式のキーボードにおけるフィルムシート２の一例を示すものであり、本図にはフィルムシート２の一部分が示されている。この例のフィルムシート２は、上層側メンブレン２１と下層側メンブレン２２が一体的に形成されており、中央部に折り畳みラインＦがある。図４で示した２層の上層側メンブレン２１と下層側メンブレン２２は、実際には１枚のメンブレンシートを折り畳みラインＦで折り畳んで重ねて形成されることが多い。
【００２４】
折り畳みラインＦより上側が上層側メンブレン２１であり、ＲＯＷ＃信号が入力される配線パターン６１が形成され、下側が下層側メンブレン２２であり、ＣＬＭ＃信号が入力される配線パターン６２が形成される。これにより、フィルムシート２を折り畳むと、ＲＯＷ＃信号が入力される上層側接点３１とＣＬＭ＃信号が入力される下層側接点３２が上下で重なり合うようになる。実際には、フィルムシート２を折り畳む時は、図５（ｂ）に示すように、上層側メンブレン２１と下層側メンブレン２２の間に、貫通孔３３が設けられたスペーサ２３を挟む。このため、キーキャップ押下時でない限り、上層側接点３１と下層側接点３２がショートすることはない。
【００２５】
図６は図４に示した入力装置２０のキーボードのフィルムシート２の上に、水滴Ｗが落下した状態を示すものである。このような状態は、キーボードの操作中に、お茶や水を作業者がキーボードの上にこぼした際に起こり得る。フィルムシート２の上に水滴Ｗが落下しても、フィルムシート２には孔がないので、水滴Ｗはフィルムシート２には浸水しない。しかし、フィルムシート２の上に落下した水滴Ｗは、フィルムシート２の表面を伝ってキーボードの端まで流れ、キーボードと筐体の隙間からパソコン内部に流入する虞がある。
【００２６】
本出願はこのような不具合を解消するものであり、フィルムシート２の上に落下した水滴Ｗがキーボードの端部から電子機器の内部に浸入する前にフィルムシート２の表面への水滴の落下を検出して電子機器の安全を図るものである。ここで、フィルムシート２の上に落下した水滴Ｗが電子機器の内部に浸入する前に、フィルムシート２の表面への水滴の落下を検出して電子機器の安全を図る本出願の浸水検知装置を、幾つかの実施例に基づいて説明する。なお、本出願の浸水検知装置は、図４に示したフィルムシート２の上に形成されるので、図４で説明した部材には同じ符号を付してその説明を省略する。
【００２７】
図７（ａ）は図４に示した入力装置のフィルムシート２に、本出願の第１の実施例の浸水検知装置Ｐが設置された状態を示すものである。また、図８は、図７（ａ）に示したフィルムシート２を展開したものであり、フィルムシート２を折り畳みラインＦで折り畳んだ時に、上層側メンブレン２１と下層側メンブレン２２の間に挿入されるスペーサ２３がフィルムシート２の脇にある。図８に示すフィルムシート２を折り畳みラインＦで折り畳み、間にスペーサ２３を挿入すると図７（ａ）に示す状態になる。
【００２８】
第１の実施例の浸水検出装置Ｐは、フィルムシート２のキー部５が設けられていない領域に設けられる。第１の実施例では、上層側メンブレン２１に第１の浸水検知孔２５が設けられており、スペーサ２３には第１の浸水検知孔２５に重なる第２の浸水検知孔３５が設けられている。第２の浸水検知孔３５の内部には、下層側メンブレン２２に設けられた第２の浸水検知接点４２が露出している。第２の浸水検知接点４２は配線パターン５２を通じてマイコン１０に接続されており、配線パターン５２にはマイコン１０からＣＬＭ＃信号が入力される。
【００２９】
一方、第１の浸水検知孔２５は第２の浸水検知孔３５よりも僅かに小さく形成され、第２の浸水検知孔３５の内部に上層側メンブレン２１に設けられた第１の浸水検知接点４１が露出している。第１の浸水検知接点４１は配線パターン５１を通じてマイコン１０に接続されており、配線パターン５１にはマイコン１０からＲＯＷ＃信号が入力される。第１の浸水検知接点４１と第２の浸水検知接点４２との間には隙間があり、水滴が無い状態では第１の浸水検知接点４１と第２の浸水検知接点４２はショートしない。
【００３０】
図７（ｂ）は図７（ａ）に示した第１の浸水検知孔２５と第２の浸水検知孔３５の内部に水滴Ｗが浸入した状態を示すものである。この状態では水滴Ｗにより、第１の浸水検知接点４１と第２の浸水検知接点４２がショートし、ショート状態が配線パターン５１，５２を通じてマイコン１０に送られる。配線パターン５１，５２から入力される信号により、マイコン１０は第１の浸水検知接点４１と第２の浸水検知接点４２がショートしたことを検知することができる。この結果、第１実施例の浸水検出装置Ｐが設けられたキーボード（入力装置）を備える電子機器では、後述する浸水時の対策、例えば、電源のシャットダウンを実施することができる。
【００３１】
なお、第１の実施例の浸水検出装置Ｐでは、図９に示すように、第１の浸水検知孔２５と第２の浸水検知孔３５の内部に浸入した水滴Ｗが小さい場合に、第１の浸水検知接点４１と第２の浸水検知接点４２がショートしない場合が生じる虞がある。具体的には、水滴サイズや濡れ性により、水滴Ｗが下層側メンブレン２２の接点４２にだけ接触し、上層側メンブレン２１の接点４１に接しない可能性がある（その逆もあり得る）。また、図７（ｂ）のような大きな水滴Ｗが浸入した場合でも、スペーサ２３の厚みは１００μｍ程度であり、上層側メンブレン２１の下側にある接点４１に水滴Ｗが接触するのは、濡れ性的に難しい場合が生じる。
【００３２】
そこで、このような問題が生じ難い本願の第２の実施例の浸水検知装置Ｑの構造を図１０を用いて説明する。図１０は第２の実施例の浸水検知装置Ｑを備えるフィルムシート２を展開したものであり、フィルムシート２を折り畳みラインＦで折り畳んだ時に、上層側メンブレン２１と下層側メンブレン２２の間に挿入されるスペーサ２３も示してある。図８に示すフィルムシート２を折り畳みラインＦで折り畳み、間にスペーサ２３を挿入すると図１１に示す状態になる。
【００３３】
第２の実施例の浸水検出装置Ｑも、フィルムシート２のキー部５が設けられていない領域に設けられる。第２の実施例では、上層側メンブレン２１に第１の浸水検知孔２５が設けられており、スペーサ２３には第１の浸水検知孔２５に重なる第２の浸水検知孔３５が設けられている。第２の実施例では、第１の浸水検知孔２５と第２の浸水検知孔３５は同じ大きさであり、フィルムシート２を折り畳むと、図１１に示すように、第１の浸水検知孔２５と第２の浸水検知孔３５はぴったり重なる。
【００３４】
第２の実施例では、下層側メンブレン２２に第１の浸水検知接点４１と第２の浸水検知接点４２が設けられており、第１の浸水検知接点４１と第２の浸水検知接点４２は第２の浸水検知孔３５の内部に露出している。第１の浸水検知接点４１と第２の浸水検知接点４２はそれぞれ配線パターン５１、５２を通じてマイコン１０に接続されている。配線パターン５１はマイコン１０からＲＯＷ＃信号が入力され、配線パターン５２にはマイコン１０からＣＬＭ＃信号が入力される。第１の浸水検知接点４１と第２の浸水検知接点４２との間には隙間があり、水滴が無い状態では第１の浸水検知接点４１と第２の浸水検知接点はショートしていない。
【００３５】
図１１は第１の浸水検知孔２５と第２の浸水検知孔３５の内部に水滴Ｗが浸入した状態も示している。この状態では水滴Ｗにより、第１の浸水検知接点４１と第２の浸水検知接点４２がショートし、ショート状態が配線パターン５１，５２を通じてマイコン１０に送られる。配線パターン５１，５２から入力される信号により、マイコン１０は第１の浸水検知接点４１と第２の浸水検知接点４２がショートしたことを検知することができる。この結果、第２実施例の浸水検出装置Ｑが設けられたキーボード（入力装置）を備える電子機器では、後述する浸水時の対策、例えば、電源のシャットダウンを実施することができる。
【００３６】
第２実施例の浸水検出装置Ｑでは、第１の浸水検知接点４１と第２の浸水検知接点４２を共に下層側メンブレン２２に設けたことにより、小さい水滴や濡れ性の低い水滴に対しても、浸水時に接点間がショートされやすくなり、浸水検知の精度が高くなる。
【００３７】
以上説明した第１の実施例の浸水検出装置Ｐと第２の実施例の浸水検出装置Ｑでは、第１の浸水検知接点４１と第２の浸水検知接点４２が矩形状であった。一方、第１の浸水検知接点４１と第２の浸水検知接点４２は、図１２に示すように、櫛歯状の第１の浸水検知接点４１Ａと第２の浸水検知接点４２Ａとすることができる。櫛歯状の第１の浸水検知接点４１Ａと第２の浸水検知接点４２Ａでは、第１の浸水検知接点４１Ａの櫛歯の間のスペースに、第２の浸水検知接点４２Ａの櫛歯がそれぞれ配置されている。この結果、非常に小さい水滴などに対しても浸水検知精度を上げることが可能である。
【００３８】
図１３（ａ）は第１又は第２の実施例の浸水検知装置Ｐ，Ｑをメンブレン式のキーボード１Ｋに設置する場合の配置レイアウトの第１の実施例を示すものである。配置レイアウトの第１の実施例は、キーボード１Ｋのキートップ３の取付面が、図１３（ｂ）に示すようにキーボード１Ｋの設置面に平行である場合の浸水検知装置Ｐ，Ｑのレイアウトを示している。このレイアウトでは、第１と第２の浸水検知孔２５．３５は、キーボード１Ｋの上にランダムに散在して設けられており、その数は限定されない。
【００３９】
図１３（ｃ）は第１又は第２の実施例の浸水検知装置Ｐ，Ｑをメンブレン式のキーボード１Ｋに設置する場合の配置レイアウトの第２の実施例を示すものである。配置レイアウトの第２の実施例は、キーボード１Ｋのキートップ３の取付面が、図１３（ｄ）に示すようにキーボード１Ｋの設置面に対して傾斜している場合の浸水検知装置Ｐ，Ｑのレイアウトを示している。このレイアウトでは、第１と第２の浸水検知孔２５．３５がキーボード１Ｋの上の設置面からの高さが低い方に集中して設けられている。第１と第２の浸水検知孔２５．３５は、キーボード１Ｋの上の設置面からの高さが高い方にも設けることができるが、その数はキーボード１Ｋの上の設置面からの高さが低い方よりも少なくて良い。これはキーボード１Ｋの上に落下した水滴は設置面からの高さが低い方に流れるからである。このレイアウトでも第１と第２の浸水検知孔２５．３５の数は限定されない。
【００４０】
このように、浸水検知装置Ｐ，ＱをキーボードいＫの複数個所に配置することにより、キーボード１Ｋのいかなる位置に浸水が発生しても即座にシステムシャットダウンなどの処理に移行することが可能となる。
【００４１】
図１４は本出願の浸水検知装置Ｐ，Ｑを備えるキーボード１Ｋが設けられた電子機器であるパソコン１の内部の回路構成を示すものである。ノート型パソコン１の内部には、キーボード１Ｋが接続されたマイコン１０があり、マイコン１０にはチップセット１１、ファン１２及びバッテリ１３が接続されている。バッテリ１３は一般に充電池であり、交流電源に接続するＡＣアダプタ１４で直流に変換された電力がシステム電源１５を介して充電される。チップセット１１には、メモリ１７が接続されたＣＰＵ１６，ディスプレイ部（図には表示部と記載）１Ｄ、ハードディスク等の記憶部１８及びＢＩＯＳ１９が接続されている。ＢＩＯＳ１９は回路基板（マザーボード）上のＲＯＭに搭載されているプログラムであり、キーボード１Ｋ，ＣＰＵ１６や記憶部１８等の管理や制御を行う。
【００４２】
図１４に示すパソコン１の動作は、キーボード１Ｋとマイコン１０の動作を除いて図２に示したパソコン１と同じであるので、これ以上の説明を省略する。パソコン１は浸水検知装置Ｐ，Ｑにより、マイコン１０がキーボード１Ｋへの浸水を検知すると、直ちにシステム電源１５をシャットダウンする。この結果、水がキーボード基板などに達する前にシステム電源１５をシャットダウンさせることができ、パソコン１の浸水による破損や浸水によるデータ損失を防ぐことができる。
【００４３】
以上説明したように、本出願では、従来の防水の為の費用や、防水構造を実現するためのパソコンの厚みや大きさの犠牲を払わずに、既存のキーボードの信号配線のパターンとメンブレンシートに貫通孔を設けるだけで、非常に容易に浸水の検知を実現できる。
以上、本出願を特にその好ましい実施の形態を参照して詳細に説明した。本出願の容易な理解のために、本出願の具体的な形態を以下に付記する。
【００４４】
（付記１）  入力装置であって、
先端部に接点を備える複数の配線パターンが形成された第１のシートと、
先端部に接点を備える複数の配線パターンが形成され、前記第１のシートに重ね合された状態で、前記接点同士が対向する第２のシートと、
前記第１と第２のシートの間に重ね合わせて挿入され、挿入状態で前記接点位置に前記接点よりも大きな貫通孔を備えるシート状のスペーサと、
前記第１のシートの前記接点位置の外側に取り付けられ、外部からの押圧によって変形して前記第１のシートの接点を押して前記貫通孔内を移動させ、前記第２のシートの接点に接触させる押圧部材と、
前記第１のシートの、前記接点のない領域に設けられた第１の浸水検知孔と、
前記スペーサに設けられ、前記第１の浸水検知孔に重なる第２の浸水検知孔と、
前記第１と第２の浸水検知孔の内部に離間した状態で設けられた第１と第２の浸水検知接点と、
前記第１と第２の浸水検知接点にそれぞれ接続し、前記第１と第２の浸水検知接点の短絡状態を前記第１と第２のシートの外部に通知可能な短絡通知用の配線パターンとを備える入力装置。
（付記２）  前記第１の浸水検知接点と前記第１の浸水検知接点に接続する短絡通知用の配線パターンが、第１のシートに設けられている付記１に記載の入力装置。
（付記３）  前記第１と第２の浸水検知接点とこれらに接続する前記短絡通知用の配線パターンが、共に第２のシートに設けられている付記１に記載の入力装置。
（付記４）  前記第１と第２の浸水検知接点が矩形状である付記２又は３に記載の入力装置。
（付記５）  第１と第２の浸水検知接点が櫛歯形状であり、第１の浸水検知接点の櫛歯の間のスペースに、第２の浸水検知接点の櫛歯がそれぞれ配置されている付記２又は３に記載の入力装置。
【００４５】
（付記６）  前記入力装置がキーボードであり、前記押圧部材がキートップとラバードームである付記１から５の何れかに記載の入力装置。
（付記７）  前記キーボードの前記押圧部材の取付面が、前記キーボードの設置面に平行であり、
前記第１と第２の浸水検知孔は、前記キーボード上にランダムに散在して設けられている付記１から６の何れかに記載の入力装置。
（付記８）  前記キーボードの前記押圧部材の取付面が、前記キーボードの設置面に対して傾斜しており、
前記第１と第２の浸水検知孔は、前記キーボード上の前記設置面からの高さが高い方の領域よりも低い方の領域に多く散在して設置されている付記１から６の何れかに記載の入力装置。
（付記９）  前記第１のシートにある配線パターンには行アドレス信号が流され、前記第２のシートにある配線パターンには列アドレス信号が流され、
前記行アドレス信号と前記列アドレス信号によって形成されるマトリクスの数よりも前記押圧部材の数が少ない場合に、
前記短絡通知用の配線パターンは、余っている前記マトリクスの一部を利用して形成され、
前記第１と第２の浸水検知接点の短絡状態は前記行アドレス信号と前記列アドレス信号を利用して検出される付記１から８の何れかに記載の入力装置。
（付記１０）  前記第１と第２のシートは１枚のシートとして形成されており、
前記１枚のシートに設けられた折り畳みラインで折り畳むことによって、前記第１と第２のシートになる付記１から９の何れかに記載の入力装置。
【００４６】
（付記１１）  付記１から１０の何れかに記載の入力装置、制御装置、及び前記制御装置に電源を供給するシステム電源を備える電子機器であって、
前記浸水検知接点に接続する短絡通知用の配線パターンが前記電子機器の制御装置に接続されており、
前記制御装置は、前記配線パターンによって前記浸水検知接点の短絡状態を検知した時に、前記システム電源をシャットダウンする電子機器。
【符号の説明】
【００４７】
１    電子機器（ノート型パソコン）
２    フィルムシート
３    キートップ
４    ラバードーム
５    キー部
２１    上層側メンブレン
２２    下層側メンブレン
２３    スペーサ
２５、３５    浸水検出孔
３１    上層側接点
３２    下層側接点
３３    貫通孔
４１    第１の浸水検知接点
４２    下層側浸水検知接点
Ｆ    折り畳みライン
【図１】
2016170520.tif 000003
【図２】
2016170520.tif 000004
【図３】
2016170520.tif 000005
【図４】
2016170520.tif 000006
【図５】
2016170520.tif 000007
【図６】
2016170520.tif 000008
【図７】
2016170520.tif 000009
【図８】
2016170520.tif 000010
【図９】
2016170520.tif 000011
【図１０】
2016170520.tif 000012
【図１１】
2016170520.tif 000013
【図１２】
2016170520.tif 000014
【図１３】
2016170520.tif 000015
【図１４】
2016170520.tif 000016